(57)【要約】【課題】記録品質に優れた記録を安定して行うのに最適な発光パルスを得ることができるパルス形状調整方法を提供する。【解決手段】ジッタがほぼ最小となるときの再生信号の振幅調整時のゲインが所定の範囲内に含まれるか否かが判断され（ステップ４２１、４２３）、その判断の結果、前記ゲインが前記範囲内に含まれない場合に、前記ゲインに基づいて発光パルスの形状が調整される（ステップ４２５、４２９）。これにより、再生したときに劣化の少ない良好な再生信号が安定して得られることとなる。【選択図】  図７
2004206812.tif 000002
【特許請求の範囲】
【請求項１】
レーザ光をパルス発光して情報記録媒体に記録を行う際のパルス形状を、前記情報記録媒体からの再生信号におけるジッタを用いて調整するパルス形状調整方法であって、
前記ジッタがほぼ最小となるときの前記再生信号の振幅調整時のゲインが所定の範囲内に含まれるか否かを判断する第１工程と；
前記判断の結果、前記ゲインが前記範囲内に含まれない場合に、前記ゲインに基づいて発光パルスの形状を調整する第２工程と；を含むパルス形状調整方法。
【請求項２】
前記第２工程では、前記ゲインが前記範囲の上限値を超える場合に、前記発光パルスに含まれる最短のマーク領域を形成する際のパルス及び前記発光パルスに含まれる最長のマーク領域を形成する際のパルスの少なくとも一方の形状を調整することを特徴とする請求項１に記載のパルス形状調整方法。
【請求項３】
前記第２工程で前記最短のマーク領域を形成する際のパルスの形状を調整するときには、その立上りタイミングを早めることを特徴とする請求項２に記載のパルス形状調整方法。
【請求項４】
前記第２工程で前記最長のマーク領域を形成する際のパルスの形状を調整するときには、その立上りタイミングを遅らせることを特徴とする請求項２又は３に記載のパルス形状調整方法。
【請求項５】
前記第２工程では、前記ゲインが前記範囲の下限値よりも小さい場合に、前記発光パルスに含まれる最短のマーク領域を形成する際のパルス及び前記発光パルスに含まれる最長のマーク領域を形成する際のパルスの少なくとも一方の形状を調整することを特徴とする請求項１に記載のパルス形状調整方法。
【請求項６】
前記第２工程で前記最短のマーク領域を形成する際のパルスの形状を調整するときには、その立下りタイミングを早めることを特徴とする請求項５に記載のパルス形状調整方法。
【請求項７】
前記第２工程で前記最長のマーク領域を形成する際のパルスの形状を調整するときには、その立下りタイミングを遅らせることを特徴とする請求項５又は６に記載のパルス形状調整方法。
【請求項８】
前記第２工程では、前記ゲインが前記範囲の下限値よりも小さい場合に、前記発光パルスに含まれる最短スペース領域に続くマーク領域を形成する際のパルス及び前記発光パルスに含まれる最長スペース領域に続くマーク領域を形成する際のパルスの少なくとも一方の形状を調整することを特徴とする請求項１に記載のパルス形状調整方法。
【請求項９】
前記第２工程で前記最短スペース領域に続くマーク領域を形成する際のパルスの形状を調整するときには、その立上りタイミングを遅らせることを特徴とする請求項８に記載のパルス形状調整方法。
【請求項１０】
前記第２工程で前記最長スペース領域に続くマーク領域を形成する際のパルスの形状を調整するときには、その立上りタイミングを早めることを特徴とする請求項８又は９に記載のパルス形状調整方法。
【請求項１１】
前記第２工程では、前記ゲインが前記範囲の下限値よりも小さい場合に、前記発光パルスに含まれる最短スペース領域の直前のマーク領域を形成する際のパルス及び前記発光パルスに含まれる最長スペース領域の直前のマーク領域を形成する際のパルスの少なくとも一方の形状を調整することを特徴とする請求項１に記載のパルス形状調整方法。
【請求項１２】
前記第２工程で前記最短スペース領域の直前のマーク領域を形成する際のパルスの形状を調整するときには、その立下りタイミングを早めることを特徴とする請求項１１に記載のパルス形状調整方法。
【請求項１３】
前記第２工程で前記最長スペース領域の直前のマーク領域を形成する際のパルスの形状を調整するときには、その立下りタイミングを遅らせることを特徴とする請求項１１又は１２に記載のパルス形状調整方法。
【請求項１４】
前記ゲインは、前記再生信号に含まれる最短のマーク領域に対応する信号成分の振幅を選択的に調整するゲインであることを特徴とする請求項１〜１３のいずれか一項に記載のパルス形状調整方法。
【請求項１５】
前記情報記録媒体は、その記録層に有機色素を含むことを特徴とする請求項１〜１４のいずれか一項に記載のパルス形状調整方法。
【請求項１６】
レーザ光をパルス発光して情報記録媒体に記録を行う記録方法であって、
請求項１〜１５のいずれか一項に記載のパルス形状調整方法によって調整された発光パルスの形状に基づいて情報を記録する工程を含む記録方法。
【請求項１７】
レーザ光をパルス発光して情報記録媒体に記録を行う情報記録再生装置であって、
前記情報記録媒体からの再生信号におけるジッタがほぼ最小となるときの前記再生信号の振幅調整時のゲインを取得するゲイン取得手段と；
前記ゲインが予め設定されている範囲内に含まれない場合に、前記ゲインに基づいて、発光パルスの形状を調整する調整手段と；
前記調整された発光パルスの形状に基づいて記録を行う記録手段と；を備える情報記録再生装置。
【請求項１８】
前記情報記録媒体は、その記録層に有機色素を含むことを特徴とする請求項１７に記載の情報記録再生装置。
【発明の詳細な説明】
【０００１】
【発明の属する技術分野】
本発明は、パルス形状調整方法、記録方法及び情報記録再生装置に係り、更に詳しくは、レーザ光をパルス発光して情報記録媒体に情報を記録する際のパルス形状を調整するパルス形状調整方法、レーザ光をパルス発光して情報記録媒体に情報を記録する記録方法、及びレーザ光をパルス発光して情報記録媒体に対して情報の記録、再生を行う情報記録再生装置に関する。
【０００２】
【従来の技術】
近年、パーソナルコンピュータは、その機能が向上するに伴い、音楽や映像といったＡＶ（Audio-Visual）情報を取り扱うことが可能となってきた。これらＡＶ情報の情報量は非常に大きいために、情報記録媒体としてＣＤ（compact disc）やＤＶＤ（digital versatile disc）などの光ディスクが注目されるようになり、その低価格化とともに、情報記録再生装置として光ディスク装置がパーソナルコンピュータの周辺機器の一つとして普及するようになった。光ディスク装置では、光ディスクのスパイラル状又は同心円状のトラックが形成された記録面にレーザ光の微小スポットを照射することにより情報の記録及び消去を行い、記録面からの反射光に基づいて情報の再生などを行っている。そして、光ディスク装置には、情報記録媒体の記録面にレーザ光を照射するとともに、記録面からの反射光を受光するために、光ピックアップ装置が設けられている。
【０００３】
通常、光ピックアップ装置は、レーザ光を所定の発光パワー（出力）で出射する光源、その光源から出射されるレーザ光を情報記録媒体の記録面に導くとともに、記録面で反射されたレーザ光を所定の受光位置まで導く光学系、及びその受光位置に配置された受光素子などを備えている。
【０００４】
光ディスクでは、互いに反射率の異なるマーク（ピット）領域及びスペース領域と呼ばれる２つの領域のそれぞれの長さとそれらの組み合わせとによって情報が記録される。そこで、光ディスクに情報を記録する際には所定の位置にマーク領域及びスペース領域がそれぞれ形成されるように光源の発光パワーが制御される。
【０００５】
例えば、記録層に有機色素を含むＣＤ−Ｒ（ＣＤ−recordable）、ＤＶＤ−Ｒ（ＤＶＤ−recordable）及びＤＶＤ＋Ｒ（ＤＶＤ＋recordable）などの追記型の光ディスク（以下、便宜上「色素型ディスク」ともいう）では、マーク領域を形成するときには発光パワーを高くして色素を加熱及び溶解し、そこに接している基板部分を変質・変形させている。一方、スペース領域を形成するときには基板が変質・変形しないように発光パワーを再生時と同程度に小さくしている。これにより、マーク領域ではスペース領域よりも反射率が低くなる。
【０００６】
そこで、例えばＣＤ系の色素型ディスクでは、一例として図１２に示されるように、記録データに基づいて生成された書き込みデータＷＤにおけるマーク部Ｍに対応するマーク領域を形成する際の発光パワーＬＰを大きくし（図１２ではＰｗ）、スペース部Ｓに対応するスペース領域を形成する際の発光パワーＬＰを小さくしている（図１２ではＰｒ）。すなわち、光源の発光パワーをパルス状に制御している。このような発光パワーの制御方式は、単パルス記録方式とも呼ばれている。なお、図１２におけるＰｗはピークパワー（又は記録パワー）、Ｐｒはバイアスパワー（又は再生パワー）とも呼ばれている。また、発光パルスにおけるピークパワー部分を加熱パルス、バイアスパワー部分を冷却パルスともいう。
【０００７】
一方、ＤＶＤ系の色素型ディスクでは、蓄熱の影響を除去するために、一例として図１３に示されるように、マーク領域を形成するときの発光パワーを複数のパルスに分割（マルチパルス化）することが行なわれている。すなわち、１つのマーク領域に対応して複数の加熱パルスが存在することとなる。このような発光パワーの制御方式はマルチパルス記録方式とも呼ばれている。このマルチパルス記録方式において、発光パワーをマルチパルス化する規則は記録ストラテジと呼ばれている。そして、１つのマーク領域に対応する複数の加熱パルスにおいて、最初の加熱パルスＰｔを先頭加熱パルス、最後の加熱パルスＰｆを最終加熱パルスともいう。
【０００８】
また、記録層に特殊合金を含むＣＤ−ＲＷ（ＣＤ−rewritable）、ＤＶＤ−ＲＷ（ＤＶＤ−rewritable）、及びＤＶＤ＋ＲＷ（ＤＶＤ＋rewritable）などの書き換え可能な光ディスク（以下、便宜上「相変化型ディスク」ともいう）では、マーク領域を形成するときには、レーザ光により特殊合金を第１の温度に加熱した後、発光パワーを小さくして特殊合金を急冷し、特殊合金をアモルファス（非晶質）状態にしている。スペース領域を形成するときには、レーザ光により特殊合金を第２の温度（＜第１の温度）に加熱した後、特殊合金を徐冷し、特殊合金を結晶状態にしている。これにより、マーク領域ではスペース領域よりも反射率が低くなる。この相変化型ディスクでは、蓄熱の影響を除去するために、一例として図１４に示されるように、マルチパルス記録方式が採用されている。なお、スペース領域を形成するときの発光パワーＰｅはイレーズパワー（又は消去パワー）とも呼ばれている。
【０００９】
上記記録パワー及び記録ストラテジは、それぞれ記録品質に大きな影響を与える重要な記録条件であり、記録対象の光ディスク毎に最適な記録パワー及び記録ストラテジを求めることは非常に重要である。そこで、種々の記録パワーで記録を行い、再生信号から計測されるジッタが最小となるときの記録パワーを最適な記録パワーとする方法が提案されている（例えば、特許文献１参照）。
【００１０】
【特許文献１】
特開平１１−６６６９８号公報
【００１１】
【発明が解決しようとする課題】
しかしながら、例えば、同じ長さのマーク領域を形成する場合であっても、そのマーク領域の直前に存在するスペース領域（以下、便宜上「前方スペース」ともいう）の長さ、及びそのマーク領域の直後に存在するスペース領域（以下、便宜上「後方スペース」ともいう）の長さによって、実際に形成されるマーク領域の長さが変動する場合がある。これは、放熱作用がスペース領域の長さによって異なるためである。また、マーク領域を形成する際の蓄熱の影響は記録パワーでの発光時間によっても異なるため、マーク領域の長さによっては、予定した長さのマーク領域が形成されない場合がある。これによって、再生信号の品質にばらつきが生じ、情報の正確な再生ができない場合があった。
【００１２】
本発明は、かかる事情の下になされたもので、その第１の目的は、記録品質に優れた記録を安定して行うのに最適な発光パルスを得ることができるパルス形状調整方法を提供することにある。
【００１３】
また、本発明の第２の目的は、記録品質に優れた記録を安定して行うことができる記録方法及び情報記録再生装置を提供することにある。
【００１４】
【課題を解決するための手段】
請求項１に記載の発明は、レーザ光のパルス発光して情報記録媒体に記録を行う際のパルス形状を、前記情報記録媒体からの再生信号におけるジッタを用いて調整するパルス形状調整方法であって、前記ジッタがほぼ最小となるときの前記再生信号の振幅調整時のゲインが所定の範囲内に含まれるか否かを判断する第１工程と；前記判断の結果、前記ゲインが前記範囲内に含まれない場合に、前記ゲインに基づいて発光パルスの形状を調整する第２工程と；を含むパルス形状調整方法である。
【００１５】
これによれば、ジッタがほぼ最小となるときの再生信号の振幅調整時のゲインが所定の範囲内に含まれるか否かが判断され（第１工程）、その判断の結果、前記ゲインが前記範囲内に含まれない場合に、前記ゲインに基づいて発光パルスの形状が調整される（第２工程）。すなわち、再生したときに劣化の少ない良好な再生信号が安定して得られるように、記録の際に光源から出射されるレーザ光の発光パルスの形状が調整されているために、記録品質に優れた記録を安定して行うのに最適な発光パルスを得ることが可能となる。
【００１６】
この場合において、請求項２に記載のパルス形状調整方法の如く、前記第２工程では、前記ゲインが前記範囲の上限値を超える場合に、前記発光パルスに含まれる最短のマーク領域を形成する際のパルス及び前記発光パルスに含まれる最長のマーク領域を形成する際のパルスの少なくとも一方の形状を調整することとすることができる。
【００１７】
この場合において、請求項３に記載のパルス形状調整方法の如く、前記第２工程で前記最短のマーク領域を形成する際のパルスの形状を調整するときには、その立上りタイミングを早めることとすることができる。
【００１８】
上記請求項２及び３に記載の各パルス形状調整方法において、請求項４に記載のパルス形状調整方法の如く、前記第２工程で前記最長のマーク領域を形成する際のパルスの形状を調整するときには、その立上りタイミングを遅らせることとすることができる。
【００１９】
上記請求項１に記載のパルス形状調整方法において、請求項５に記載のパルス形状調整方法の如く、前記第２工程では、前記ゲインが前記範囲の下限値よりも小さい場合に、前記発光パルスに含まれる最短のマーク領域を形成する際のパルス及び前記発光パルスに含まれる最長のマーク領域を形成する際のパルスの少なくとも一方の形状を調整することとすることができる。
【００２０】
この場合において、請求項６に記載のパルス形状調整方法の如く、前記第２工程で前記最短のマーク領域を形成する際のパルスの形状を調整するときには、その立下りタイミングを早めることとすることができる。
【００２１】
上記請求項５及び６に記載の各パルス形状調整方法において、請求項７に記載のパルス形状調整方法の如く、前記第２工程で前記最長のマーク領域を形成する際のパルスの形状を調整するときには、その立下りタイミングを遅らせることとすることができる。
【００２２】
上記請求項１に記載のパルス形状調整方法において、請求項８に記載のパルス形状調整方法の如く、前記第２工程では、前記ゲインが前記範囲の下限値よりも小さい場合に、前記発光パルスに含まれる最短スペース領域に続くマーク領域を形成する際のパルス及び前記発光パルスに含まれる最長スペース領域に続くマーク領域を形成する際のパルスの少なくとも一方の形状を調整することとすることができる。
【００２３】
この場合において、請求項９に記載のパルス形状調整方法の如く、前記第２工程で前記最短スペース領域に続くマーク領域を形成する際のパルスの形状を調整するときには、その立上りタイミングを遅らせることとすることができる。
【００２４】
上記請求項８及び９に記載の各パルス形状調整方法において、請求項１０に記載のパルス形状調整方法の如く、前記第２工程で前記最長スペース領域に続くマーク領域を形成する際のパルスの形状を調整するときには、その立上りタイミングを早めることとすることができる。
【００２５】
上記請求項１に記載のパルス形状調整方法において、請求項１１に記載のパルス形状調整方法の如く、前記第２工程では、前記ゲインが前記範囲の下限値よりも小さい場合に、前記発光パルスに含まれる最短スペース領域の直前のマーク領域を形成する際のパルス及び前記発光パルスに含まれる最長スペース領域の直前のマーク領域を形成する際のパルスの少なくとも一方の形状を調整することとすることができる。
【００２６】
この場合において、請求項１２に記載のパルス形状調整方法の如く、前記第２工程で前記最短スペース領域の直前のマーク領域を形成する際のパルスの形状を調整するときには、その立下りタイミングを早めることとすることができる。
【００２７】
上記請求項１１及び１２に記載の各パルス形状調整方法において、請求項１３に記載のパルス形状調整方法の如く、前記第２工程で前記最長スペース領域の直前のマーク領域を形成する際のパルスの形状を調整するときには、その立下りタイミングを遅らせることとすることができる。
【００２８】
上記請求項１〜１３に記載の各パルス形状調整方法において、請求項１４に記載のパルス形状調整方法の如く、前記ゲインは、前記再生信号に含まれる最短のマーク領域に対応する信号成分の振幅を選択的に調整するゲインであることとすることができる。
【００２９】
上記請求項１〜１４に記載の各パルス形状調整方法において、請求項１５に記載のパルス形状調整方法の如く、前記情報記録媒体は、その記録層に有機色素を含むこととすることができる。
【００３０】
請求項１６に記載の発明は、レーザ光をパルス発光して情報記録媒体に記録を行う記録方法であって、請求項１〜１５のいずれか一項に記載のパルス形状調整方法によって調整された発光パルスの形状を用いて情報を記録する工程を含む記録方法である。
【００３１】
これによれば、請求項１〜１５のいずれか一項に記載のパルス形状調整方法によって、再生したときに劣化の少ない良好な再生信号が安定して得られるように形状調整された発光パルスを用いているために、結果として記録品質に優れた記録を安定して行うことが可能となる。
【００３２】
請求項１７に記載の発明は、レーザ光をパルス発光して情報記録媒体に記録を行う情報記録再生装置であって、前記情報記録媒体からの再生信号におけるジッタがほぼ最小となるときの前記再生信号の振幅調整時のゲインを取得するゲイン取得手段と；前記ゲインが予め設定されている範囲内に含まれない場合に、前記ゲインに基づいて発光パルスの形状を調整する調整手段と；前記調整された発光パルスの形状に基づいて記録を行う記録手段と；を備える情報記録再生装置である。
【００３３】
これによれば、ゲイン取得手段により、情報記録媒体からの再生信号におけるジッタがほぼ最小となるときの再生信号の振幅調整時のゲインが取得され、調整手段により、そのゲインが予め設定されている範囲内に含まれない場合に、前記ゲインに基づいて発光パルスの形状が調整される。すなわち、再生したときに劣化の少ない良好な再生信号が安定して得られるように、記録の際に光源から出射されるレーザ光の発光パルスの形状が調整される。そして、この調整された発光パルスに基づいて記録手段により記録が行われる。従って、結果として記録品質に優れた記録を安定して行うことが可能となる。
【００３４】
この場合において、請求項１８に記載の情報記録再生装置の如く、前記情報記録媒体は、その記録層に有機色素を含むこととすることができる。
【００３５】
【発明の実施の形態】
以下、本発明の一実施形態を図１〜図１３に基づいて説明する。図１には、本発明の一実施形態に係る情報記録再生装置としての光ディスク装置の概略構成を示すブロック図が示されている。
【００３６】
この図１に示される光ディスク装置２０は、光ディスク１５を回転駆動するためのスピンドルモータ２２、光ピックアップ装置２３、レーザコントロール回路２４、エンコーダ２５、モータドライバ２７、再生信号処理回路２８、サーボコントローラ３３、バッファＲＡＭ３４、バッファマネージャ３７、インターフェース３８、ＲＯＭ３９、ＣＰＵ４０及びＲＡＭ４１などを備えている。なお、図１における矢印は、代表的な信号や情報の流れを示すものであり、各ブロックの接続関係の全てを表すものではない。また、本実施形態では、一例としてＤＶＤ＋Ｒの規格に準拠した情報記録媒体が光ディスク１５として用いられるものとする。
【００３７】
前記光ピックアップ装置２３は、光ディスク１５のスパイラル状又は同心円状のトラックが形成された記録面にレーザ光を照射するとともに、記録面からの反射光を受光するための装置である。この光ピックアップ装置２３は、一例として図２に示されるように、光源ユニット５１、コリメートレンズ５２、ビームスプリッタ５４、対物レンズ６０、検出レンズ５８、受光器５９、及び駆動系（フォーカシングアクチュエータ、トラッキングアクチュエータ及びシークモータ（いずれも図示省略））などを備えている。
【００３８】
前記光源ユニット５１は、波長が６６０ｎｍの光束を出射する光源としての半導体レーザ５１ａを含んで構成されている。なお、本実施形態では、半導体レーザ５１ａから出射される光束の最大強度出射方向を＋Ｘ方向とする。前記コリメートレンズ５２は、光源ユニット５１の＋Ｘ側に配置され、半導体レーザ５１ａから出射された光束を略平行光とする。
【００３９】
前記ビームスプリッタ５４は、コリメートレンズ５２の＋Ｘ側に配置され、光ディスク１５の記録面からの反射光を戻り光束として−Ｚ方向に分岐する。前記対物レンズ６０は、ビームスプリッタ５４の＋Ｘ側に配置され、ビームスプリッタ５４を透過した光束を集光し、光ディスク１５の記録面に光スポットを形成する。
【００４０】
前記検出レンズ５８は、ビームスプリッタ５４の−Ｚ側に配置され、ビームスプリッタ５４で分岐された戻り光束を前記受光器５９の受光面上に集光する。受光器５９は、通常の光ピックアップ装置と同様に、ウォブル信号情報、再生データ情報、フォーカスエラー情報及びトラックエラー情報などを含む信号を出力するための複数の受光素子を備えている。
【００４１】
上記のように構成される光ピックアップ装置２３の作用を簡単に説明すると、半導体レーザ５１ａから出射された光束は、コリメートレンズ５２で略平行光とされた後、ビームスプリッタ５４に入射する。ビームスプリッタ５４を透過した光束は、対物レンズ６０を介して光ディスク１５の記録面に微小スポットとして集光される。光ディスク１５の記録面にて反射した反射光は、戻り光束として対物レンズ６０で略平行光とされ、ビームスプリッタ５４に入射する。ビームスプリッタ５４で−Ｚ方向に分岐された戻り光束は、検出レンズ５８を介して受光器５９で受光される。この受光器５９からは、受光素子毎に受光量に応じた信号がそれぞれ再生信号処理回路２８に出力される。
【００４２】
前記再生信号処理回路２８は、図３に示されるように、Ｉ／Ｖアンプ２８ａ、サーボ信号検出回路２８ｂ、ウォブル信号検出回路２８ｃ、ＲＦ信号検出回路２８ｄ、ＡＤＩＰデコーダ２８ｅ、ＤＶＤデコーダ２８ｆ、ＤＶＤ−ＲＯＭデコーダ２８ｇ、Ｄ／Ａコンバータ２８ｈ、及びジッタ計測回路２８ｉなどから構成されている。Ｉ／Ｖアンプ２８ａは受光器５９を構成する各受光素子の出力信号である電流信号をそれぞれ電圧信号に変換するとともに、所定のゲインで増幅する。サーボ信号検出回路２８ｂはＩ／Ｖアンプ２８ａの出力信号に基づいてサーボ信号（フォーカスエラー信号及びトラックエラー信号など）を検出する。サーボ信号検出回路２８ｂで検出されたサーボ信号はサーボコントローラ３３に出力される。ウォブル信号検出回路２８ｃはＩ／Ｖアンプ２８ａの出力信号に基づいてウォブル信号を検出する。ＡＤＩＰデコーダ２８ｅはウォブル信号検出回路２８ｃで検出されたウォブル信号からＡＤＩＰ（Address In Pregroove）情報及び同期信号などを抽出する。ここで抽出されたＡＤＩＰ情報はＣＰＵ４０に出力され、同期信号はエンコーダ２５に出力される。ＲＦ信号検出回路２８ｄはＩ／Ｖアンプ２８ａの出力信号に基づいてＲＦ信号を検出する。ＤＶＤデコーダ２８ｆはＲＦ信号検出回路２８ｄで検出されたＲＦ信号に対して復調処理及び誤り訂正処理などを行う。ＤＶＤ−ＲＯＭデコーダ２８ｇはＤＶＤデコーダ２８ｆの出力信号に対して更に誤り訂正処理などを行った後、再生データとしてバッファマネージャ３７を介してバッファＲＡＭ３４に格納する。なお、再生データが音楽データの場合にはＤＶＤデコーダ２８ｆの出力信号はＤ／Ａコンバータ２８ｈを介して外部のオーディオ機器などに出力される。ジッタ計測回路２８ｉはＲＦ信号検出回路２８ｄで検出されたＲＦ信号に基づいてジッタを計測し、その計測結果をＣＰＵ４０に出力する。
【００４３】
前記ＲＦ信号検出回路２８ｄは、図４に示されるように、加算器ｄ１、正規化回路ｄ２、波形等価回路ｄ３、及び二値化回路ｄ４などから構成されている。加算器ｄ１は、Ｉ／Ｖアンプ２８ａで電圧信号に変換された各受光素子の出力信号をそれぞれ加算する。正規化回路ｄ２は、加算器ｄ１の出力信号に対して所定の正規化処理を行う。波形等価回路ｄ３は、正規化回路ｄ２の出力信号Ｓｄ２に含まれる所定の周波数帯域の信号成分に対して、ＣＰＵ４０から設定されたゲインに基づいて振幅調整を行う。なお、本実施形態では、一例として図５に示されるように、長さが３Ｔ（ＴはチャンネルクロックＣＬＫの周期）のマーク領域に対応する信号成分が選択的に振幅調整される。二値化回路ｄ４は、コンパレータ等によって構成され、波形等価回路ｄ３の出力信号Ｓｄ３を二値化し、ＲＦ信号として出力する。
【００４４】
図１に戻り、前記サーボコントローラ３３は、再生信号処理回路２８からのフォーカスエラー信号に基づいてフォーカスずれを補正するための制御信号を生成し、トラックエラー信号に基づいてトラックずれを補正するための制御信号を生成する。各制御信号はサーボコントローラ３３からそれぞれモータドライバ２７に出力される。
【００４５】
前記モータドライバ２７は、サーボコントローラ３３からの各制御信号に基づいて、光ピックアップ装置のトラッキングアクチュエータ及びフォーカシングアクチュエータを駆動する。すなわち、サーボ信号検出回路２８ｂ、サーボコントローラ３３及びモータドライバ２７によってトラッキング制御及びフォーカス制御が行われる。また、モータドライバ２７は、ＣＰＵ４０の指示に基づいて、スピンドルモータ２２及び光ピックアップ装置のシークモータを駆動する。
【００４６】
前記エンコーダ２５は、ＣＰＵ４０の指示に基づいて、バッファＲＡＭ３４に蓄積されているデータをバッファマネージャ３７を介して取り出し、８−１６変調及びエラー訂正コードの付加などを行ない、書き込みデータを作成する。さらに、エンコーダ２５は、作成した書き込みデータと所定の記録ストラテジとに基づいて、光ディスク１５への書き込み信号を生成する。この書き込み信号は、ＣＰＵ４０の指示に基づいて、再生信号処理回路２８からの同期信号に同期してレーザコントロール回路２４に出力される。
【００４７】
前記レーザコントロール回路２４は、図６に示されるように、駆動電流出力回路２４ａ、パルス調整回路２４ｂ及び駆動信号生成回路２４ｃなどから構成されている。パルス調整回路２４ｂは、ＣＰＵ４０からのパルス調整信号Ｓ３に基づいて、エンコーダ２５からの書き込み信号Ｓ４に対してパルス形状を調整する。駆動信号生成回路２４ｃは、パルス調整回路２４ｂにてパルス調整された書き込み信号Ｓ５、ＣＰＵ４０からのバイアス電流信号Ｓ１及びピーク重畳信号Ｓ２に基づいて、半導体レーザ５１ａの駆動信号を生成する。すなわち、書き込み信号Ｓ５におけるバイアスレベルに対してはバイアス電流信号Ｓ１を駆動信号として出力し、ピークレベルに対してはバイアス電流信号Ｓ１とピーク重畳信号Ｓ２との和信号を駆動信号として出力する。駆動電流出力回路２４ａは、駆動信号生成回路２４ｃからの駆動信号を駆動電流に変換し、半導体レーザ５１ａに出力する。
【００４８】
図１に戻り、前記インターフェース３８は、ホスト（例えばパーソナルコンピュータ）との双方向の通信インターフェースであり、ＡＴＡＰＩ（AT Attachment Packet Interface）及びＳＣＳＩ（Small Computer System Interface）などの標準インターフェースに準拠している。
【００４９】
前記ＲＯＭ３９はプログラム領域とデータ領域とを備えており、プログラム領域には、ＣＰＵ４０にて解読可能なコードで記述されたプログラムが格納されている。なお、光ディスク装置２０の電源がオン状態になると、プログラム領域に格納されているプログラムは不図示のメインメモリにロードされる。また、ＲＯＭ３９のデータ領域には、所定の記録ストラテジ（以下、便宜上「基本記録ストラテジ」という）及び最適な記録パワーを含む記録条件情報などが格納されている。さらに、ＲＯＭ３９のデータ領域には、後述するパルス形状調整テーブルが格納されている。
【００５０】
前記ＣＰＵ４０は、メインメモリにロードされたプログラムに従って上記各部の動作を制御するとともに、制御に必要なデータなどを一時的にＲＡＭ４１に保存する。
【００５１】
ここで、ホストから記録要求コマンドを受信したときの処理について図７を用いて説明する。図７のフローチャートは、ＣＰＵ４０によって実行される一連の処理アルゴリズムに対応している。ホストから記録要求コマンドを受信すると、図７のフローチャートに対応するプログラムの先頭アドレスがＣＰＵ４０のプログラムカウンタにセットされ、処理がスタートする。
【００５２】
最初のステップ４０１では、３Ｔ〜１４Ｔまでのマーク領域及びスペース領域がそれぞれ形成されるように、テストデータを作成する。なお、このテストデータは、予め作成され、ＲＯＭ３９のデータ領域又はＲＡＭ４１に格納されていても良い。
【００５３】
次のステップ４０３では、ＲＯＭ３９のデータ領域に格納されている前記記録条件情報に基づいて記録条件を設定し、光ディスク１５の試し書き領域に上記テストデータを記録する。
【００５４】
次のステップ４０５では、波形等価回路ｄ３のゲインの設定回数を示すカウンタｉに１をセットし、初期化する。
【００５５】
次のステップ４０７では、波形等価回路ｄ３のゲインをＧi（ここではＧ1）に設定する。なお、本実施形態では、波形等価回路ｄ３のゲインをＧ1からＧM+1まで一定のステップΔＧで増加させるものとする。
【００５６】
次のステップ４０９では、光ディスク１５の試し書き領域に記録されている前記テストデータを再生し、ジッタ計測回路２８ｉを介してジッタを計測する。そして、この計測結果を波形等価回路ｄ３のゲインＧiと対応付けてＲＡＭ４１に保存する。
【００５７】
次のステップ４１１では、カウンタｉの値が予め設定されている値Ｍ（≧２）を超えているか否かを判断する。ここでは、カウンタｉの値は１であるため、このステップ４１１での判断は否定され、ステップ４１３に移行する。
【００５８】
このステップ４１３では、カウンタｉをインクリメント（＋１）する。
【００５９】
次のステップ４１５では、波形等価回路ｄ３に設定するゲインをΔＧだけ増加し、ステップ４０７に戻る。
【００６０】
以下、ステップ４１１での判断が肯定されるまで、ステップ４０７→４０９→４１１→４１３→４１５の処理、判断を繰り返す。
【００６１】
カウンタｉの値がＭを超えると、ステップ４１１での判断が肯定され、ステップ４１７に移行する。
【００６２】
このステップ４１７では、ＲＡＭ４１に格納されているジッタの計測結果から、計測されたジッタの最小値（以下、便宜上「最小ジッタ値」という）を求める。ここでは、最小ジッタ値としてＪｔが得られたものとする。
【００６３】
次のステップ４１９では、ＲＡＭ４１に格納されているジッタの計測結果から、最小ジッタ値ＪｔのときのゲインＧｔを抽出する。
【００６４】
次のステップ４２１では、抽出されたゲインＧｔが予め設定されている有効範囲の下限値（以下、「有効ゲイン下限値」という）よりも小さいか否かを判断する。ここで、ゲインＧｔが有効ゲイン下限値以上であれば、ステップ４２１での判断は否定され、ステップ４２３に移行する。なお、本実施形態では、一例として有効ゲイン下限値を５０としている。
【００６５】
このステップ４２３では、ゲインＧｔが上記有効範囲の上限値（以下、「有効ゲイン上限値」という）よりも大きいか否かを判断する。ここで、ゲインＧｔが有効ゲイン上限値よりも大きければ、ステップ４２３での判断は肯定され、ステップ４２５に移行する。なお、本実施形態では、一例として有効ゲイン上限値を５５としている。
【００６６】
このステップ４２５では、ＲＯＭ３９に格納されているパルス形状調整テーブルを参照し、ゲインＧｔと有効ゲイン上限値との差に基づいて、書き込み信号における立上がりタイミングの調整値を算出する。ここでは、一例として図８（Ａ）及び図８（Ｂ）に示されるように、エンコーダ２５からの書き込み信号Ｓ４に含まれる長さが３Ｔのマーク領域を形成するためのパルス列Ｒ１の先頭パルスＰＲ１の立上りタイミングを早める調整値θ１、及び長さが１４Ｔのマーク領域を形成するためのパルス列Ｒ２の先頭パルスＰＲ２の立上りタイミングを遅らせる調整値θ２の少なくとも一方を算出する。そして、ステップ４２７に移行する。例えば、ゲインＧｔが６５．０のときには、算出結果としてθ１＝０．１Ｔ、又はθ２＝０．１Ｔが得られる。なお、ゲインＧｔと有効ゲイン上限値との差が大きい場合には、長さが３Ｔ及び４Ｔのマーク領域を形成するためのパルス列の先頭パルスの立上りタイミングをそれぞれ早めても良い。例えば、ゲインＧｔが７５．０のときに、長さが３Ｔのマーク領域を形成するためのパルス列の先頭パルスの立上りタイミングを０．２Ｔだけ早めるとともに、長さが４Ｔのマーク領域を形成するためのパルス列の先頭パルスの立上りタイミングを０．１Ｔだけ早めても良い。
【００６７】
このステップ４２７では、算出された各調整値の情報を含む信号をパルス調整信号Ｓ３としてパルス調整回路２４ｂに出力する。これにより、新たな記録条件が設定されることとなる。そして、ステップ４３１に移行する。
【００６８】
このステップ４３１では、ホストから受信したユーザデータを指定された記録領域に記録する。なお、光ディスク装置２０における記録処理の詳細については後述する。ユーザデータの記録が終了すると、記録要求コマンドを受信したときの処理を終了する。
【００６９】
一方、前記ステップ４２１において、ゲインＧｔが有効ゲイン下限値よりも小さければ、ステップ４２１での判断は肯定され、ステップ４２９に移行する。
【００７０】
このステップ４２９では、ＲＯＭ３９に格納されているパルス形状調整テーブルを参照し、ゲインＧｔと有効ゲイン下限値との差に基づいて、書き込み信号における立下りタイミングの調整値を算出する。一例として図９（Ａ）及び図９（Ｂ）に示されるように、エンコーダ２５からの書き込み信号Ｓ４における長さが３Ｔのマーク領域を形成するためのパルス列Ｒ３の最終パルスＰＲ３の立下りタイミングを早める調整値θ３、及び長さが１４Ｔのマーク領域を形成するためのパルス列Ｒ４の最終パルスＰＲ４の立下りタイミングを遅らせる調整値θ４の少なくとも一方を算出する。そして、ステップ４２７に移行する。例えば、ゲインＧｔが４０．０のときには、算出結果としてθ３＝０．１Ｔ、又はθ４＝０．１Ｔが得られる。なお、ゲインＧｔと有効ゲイン下限値との差が大きい場合には、長さが３Ｔ及び４Ｔのマーク領域を形成するためのパルス列の最終パルスの立下りタイミングをそれぞれ早めても良い。例えば、ゲインＧｔが３５．０のときに、長さが３Ｔのマーク領域を形成するためのパルス列の最終パルスの立下りタイミングを０．２Ｔだけ早めるとともに、長さが４Ｔのマーク領域を形成するためのパルス列の最終パルスの立下りタイミングを０．１Ｔだけ早めても良い。
【００７１】
このステップ４２７では、算出された各調整値の情報を含む信号をパルス調整信号Ｓ３としてパルス調整回路２４ｂに出力する。これにより、新たな記録条件が設定されることとなる。そして、ステップ４３１に移行する。
【００７２】
このステップ４３１では、ホストから受信したユーザデータを指定された記録領域に記録する。ユーザデータの記録が終了すると、記録要求コマンドを受信したときの処理を終了する。
【００７３】
一方、前記ステップ４２３において、ゲインＧｔが有効ゲイン上限値以下であれば、ステップ４２３での判断は否定され、ステップ４３１に移行する。
【００７４】
このステップ４３１では、ホストから受信したユーザデータを指定された記録領域に記録する。この場合には、基本記録ストラテジがそのまま用いられることとなる。ユーザデータの記録が終了すると、記録要求コマンドを受信したときの処理を終了する。
【００７５】
ここで、光ディスク装置２０における記録処理について説明する。
【００７６】
ＣＰＵ４０は、指定された記録速度に基づいてスピンドルモータ２２の回転を制御するための制御信号をモータドライバ２７に出力するとともに、ホストから記録要求コマンドを受信した旨を再生信号処理回路２８に通知する。また、ＣＰＵ４０は、ホストから受信したユーザデータのバッファＲＡＭ３４への蓄積をバッファマネージャ３７に指示する。
【００７７】
光ディスク１５の回転が所定の線速度に達すると、前記フォーカス制御及びトラッキング制御が行われる。再生信号処理回路２８は、所定のタイミング毎に前述の如くしてＡＤＩＰ情報を取得し、ＣＰＵ４０に通知する。
【００７８】
ＣＰＵ４０は、ＡＤＩＰ情報に基づいて書き込み開始地点に光ピックアップ装置２３が位置するようにシークモータを制御する信号をモータドライバ２７に出力する。また、ＣＰＵ４０は、バッファマネージャ３７からバッファＲＡＭ３４に蓄積されたユーザデータ量が所定の値を超えたとの通知を受け取ると、エンコーダ２５に書き込み信号の生成を指示する。
【００７９】
光ピックアップ装置２３が書き込み開始地点に到達すると、ＣＰＵ４０はエンコーダ２５に通知する。これにより、ユーザデータは、エンコーダ２５、レーザコントロール回路２４及び光ピックアップ装置２３を介して光ディスク１５に記録される。
【００８０】
次に、光ディスク装置２０における再生処理について説明する。
【００８１】
ＣＰＵ４０は、再生速度に基づいてスピンドルモータ２２の回転を制御するための制御信号をモータドライバ２７に出力するとともに、再生要求コマンドを受信した旨を再生信号処理回路２８に通知する。
【００８２】
光ディスク１５の回転が所定の線速度に達すると、前記フォーカス制御及びトラッキング制御が行われる。再生信号処理回路２８は、所定のタイミング毎に前述の如くしてＡＤＩＰ情報を取得し、ＣＰＵ４０に通知する。
【００８３】
ＣＰＵ４０は、ＡＤＩＰ情報に基づいて読み出し開始地点に光ピックアップ装置２３が位置するように光ピックアップ装置２３のシークモータを制御する信号をモータドライバ２７に出力する。そして、光ピックアップ装置２３が読み出し開始地点に到達すると、ＣＰＵ４０は再生信号処理回路２８に通知する。
【００８４】
そして、再生信号処理回路２８は、前述した如くＲＦ信号を検出し、復調処理、誤り訂正処理などを行った後、再生データとしてバッファＲＡＭ３４に蓄積する。バッファマネージャ３７は、バッファＲＡＭ３４に蓄積された再生データがセクタデータとして揃ったときに、インターフェース３８を介してホストに転送する。
【００８５】
なお、前記フォーカス制御及びトラッキング制御は、記録処理及び再生処理が終了するまで、随時行われる。
【００８６】
以上の説明から明らかなように、本実施形態では、ＣＰＵ４０及び該ＣＰＵ４０によって実行されるプログラムとによって、ゲイン取得手段、調整手段、記録手段が実現されている。すなわち、図７のステップ４０１〜４１９の処理によってゲイン取得手段が、ステップ４２１、ステップ４２３、ステップ４２５及びステップ４２９の処理によって調整手段が、ステップ４２７及びステップ４３１の処理によって記録手段が、それぞれ実現されている。しかしながら、本発明がこれに限定されるものではないことは勿論である。すなわち、上記実施形態は一例に過ぎず、上記のＣＰＵ４０によるプログラムに従う処理によって実現した構成各部の少なくとも一部をハードウェアによって構成することとしても良いし、あるいは全ての構成部分をハードウェアによって構成することとしても良い。
【００８７】
また、図７のステップ４０１〜４１９の処理によって本発明に係るパルス形状調整方法の第１工程が実施され、ステップ４２１〜４２９の処理によって第２工程が実施されている。さらに、図７のステップ４０１〜４３１の処理によって本発明に係る記録方法が実施されている。
【００８８】
以上説明したように、本実施形態に係るパルス形状調整方法によると、ジッタがほぼ最小となるときの再生信号の振幅調整時のゲインが所定の範囲内に含まれるか否かが判断され、その判断の結果、前記ゲインが前記範囲内に含まれない場合に、前記ゲインに基づいて発光パルスの形状が調整される。すなわち、再生したときに劣化の少ない良好な再生信号が安定して得られるように、記録の際に光源から出射されるレーザ光の発光パルスの形状が調整される。従って、記録品質に優れた記録を安定して行うのに最適な発光パルスを得ることが可能となる。
【００８９】
また、本実施形態によると、ジッタがほぼ最小となるときのゲインが有効ゲイン上限値を超える場合には、書き込み信号に含まれる長さが３Ｔ（最短）のマーク領域を形成する際のパルスの立上りタイミングを早めてそのパルス形状を調整し、長さが１４Ｔ（最長）のマーク領域を形成する際のパルスの立上りタイミングを遅らせてそのパルス形状を調整している。これにより、その調整された発光パルスで記録された情報を再生する際に、その再生信号の波形等価処理における信号の劣化が抑制される。
【００９０】
また、本実施形態によると、ジッタがほぼ最小となるときのゲインが有効ゲイン下限値よりも小さい場合には、書き込み信号に含まれる長さが３Ｔのマーク領域を形成する際のパルスの立下りタイミングを早めてそのパルス形状を調整し、長さが１４Ｔのマーク領域を形成する際のパルスの立下りタイミングを遅らせてそのパルス形状を調整している。これにより、その調整された発光パルスで記録された情報を再生する際に、その再生信号の波形等価処理における信号の劣化を抑制することができる。
【００９１】
また、本実施形態に係る光ディスク装置及び記録方法によると、光ディスクの記録特性に応じた最適な発光パルスの形状に基づいて記録が行われるため、記録品質に優れた記録を安定して行うことが可能となる。
【００９２】
なお、上記実施形態において、長さが１４Ｔのマーク領域を形成するためのパルス形状を調整する際に、同様な形状調整を長さが６Ｔ以上のマーク領域を形成するためのパルスに行っても良い。
【００９３】
なお、上記実施形態では、ゲインＧｔが有効ゲイン下限値よりも小さいときには、形成するマーク領域の長さが３Ｔ及び１４Ｔの少なくとも一方に対応する書き込み信号におけるパルス形状を調整している（ステップ４２９参照）が、これに限らず、長さが３Ｔ及び１４Ｔの少なくとも一方の前方スペースを有するマーク領域に対応する書き込み信号におけるパルス形状を調整しても良い。一例として図１０（Ａ）及び図１０（Ｂ）に示されるように、エンコーダ２５からの書き込み信号Ｓ４における長さが３Ｔの前方スペースを有するマーク領域を形成するためのパルス列Ｒ５の先頭パルスＰＲ５の立上りタイミングを遅らせる調整値θ５、及び長さが１４Ｔの前方スペースを有するマーク領域を形成するためのパルス列Ｒ６の先頭パルスＰＲ６の立上りタイミングを早める調整値θ６の少なくとも一方を算出しても良い。例えば、ゲインＧｔが４０．０のときには、算出結果としてθ５＝０．１Ｔ、又はθ６＝０．１Ｔが得られる。なお、ゲインＧｔと有効ゲイン下限値との差が大きい場合には、長さが３Ｔ及び４Ｔの前方スペースを有するマーク領域を形成するためのパルス列の先頭パルスの立上りタイミングをそれぞれ遅らせても良い。例えば、ゲインＧｔが３５．０のときに、長さが３Ｔの前方スペースを有するマーク領域を形成するためのパルス列の先頭パルスの立上りタイミングを０．２Ｔだけ遅らせるとともに、長さが４Ｔの前方スペースを有するマーク領域を形成するためのパルス列の先頭パルスの立上りタイミングを０．１Ｔだけ遅らせても良い。
【００９４】
また、上記実施形態において、ゲインＧｔが有効ゲイン下限値よりも小さいときに、長さが３Ｔ及び１４Ｔの少なくとも一方の後方スペースを有するマーク領域に対応する書き込み信号におけるパルス形状を調整しても良い。すなわち、一例として図１１（Ａ）及び図１１（Ｂ）に示されるように、エンコーダ２５からの書き込み信号Ｓ４における長さが３Ｔの後方スペースを有するマーク領域を形成するためのパルス列Ｒ７の最終パルスＰＲ７の立下りタイミングを早める調整値θ７、及び長さが１４Ｔの後方スペースを有するマーク領域を形成するためのパルス列Ｒ８の最終パルスＰＲ８の立下りタイミングを遅らせる調整値θ８の少なくとも一方を算出しても良い。例えば、ゲインＧｔが４０．０のときには、算出結果としてθ７＝０．１Ｔ、又はθ８＝０．１Ｔが得られる。なお、ゲインＧｔと有効ゲイン下限値との差が大きい場合には、長さが３Ｔ及び４Ｔの後方スペースを有するマーク領域を形成するためのパルス列の最終パルスの立下りタイミングをそれぞれ早めても良い。例えば、ゲインＧｔが３５．０のときに、長さが３Ｔの後方スペースを有するマーク領域を形成するためのパルス列の最終パルスの立下りタイミングを０．２Ｔだけ早めるとともに、長さが４Ｔの後方スペースを有するマーク領域を形成するためのパルス列の最終パルスの立下りタイミングを０．１Ｔだけ早めても良い。
【００９５】
また、上記実施形態では、光ディスクがＤＶＤ＋Ｒの場合について説明したが、これに限定されるものではなく、レーザ光をパルス発光して情報を記録する情報記録媒体であれば良い。
【００９６】
例えば、情報記録媒体の記録層に含まれる有機色素の材料として、フタロシアニン系色素、シアニン系色素、ポリメチン系色素、アントラキノン系色素、シアニン系色素、ナフタロシアニン系色素、キサンテン系色素、トリフェニルメタン系色素、ピリリウム系色素、アズレンケイ色素、含金属アゾ染料、アゾ染料などを用いても良い。これらのうち、ジカルボシアニン誘導体、フタロシアニン誘導体、ナフタロシアニン誘導体、シアニン誘導体、アゾ染料誘導体、ホルマザン系色素が特に好適である。また、アミニウム系色素などの各種クエンチャが添加された色素材料を用いることもできる。さらに、上記色素材料より選択される1種又は2種以上の色素材料を樹脂中に分散したものを記録層の形成材料として用いても良い。色素材料を分散可能な樹脂としては、アクリル樹脂、ビニル樹脂、フェノール樹脂、フッ素樹脂、シリコーン樹脂、ポリアミド樹脂、セルロース樹脂などを挙げることができる。そして、これら色素材料を情報記録媒体の基板上に塗布する際の色素材料の溶剤としては、アルコール系溶剤あるいはセルソルブ系溶剤などを用いることができる。さらに、たとえば、無機酸類、ジカルボン酸類、オキシカルボン酸類、ジオキシ化合物、オキシオキシム類、オキシアルデヒド及びその誘導体類、ジケトン類及びそれに類似した化合物、オキシキノン類、トロボロン類、Ｎ−オキシド化合物、アミノカルボン酸及びそれに類似した化合物、ヒドロキシルアミン類、オキシン類、アルジミン類、オキシオキシム類、オキシアゾ化合物、ニトロソナフトール類、トリアゼン類、ピウレット類、ホルマザン類、ジチゾン類、ビクアリド類、グリオキシム、ジアミン類及びそれに類似した化合物、ヒドラジン誘導体、チオエーテル類などの二座配位子を取り得るキレート材を含有しても良い。さらに、イミノ基（イミド、アミド）を有する誘導体も使用可能である。
【００９７】
また、上実施形態では、光源が１つの場合について説明したが、本発明がこれに限定されるものではない。
【００９８】
【発明の効果】
以上説明したように、本発明に係るパルス形状調整方法によれば、記録品質に優れた記録を安定して行うのに最適な発光パルスを得ることができるという効果がある。
【００９９】
また、本発明に係る記録方法及び情報記録再生装置によれば、記録品質に優れた記録を安定して行うことができるという効果がある。
【図面の簡単な説明】
【図１】本発明の一実施形態に係る光ディスク装置の構成を示すブロック図である。
【図２】図１における光ピックアップ装置の詳細構成を説明するためのブロック図である。
【図３】図１における再生信号処理回路の詳細構成を説明するためのブロック図である。
【図４】図３におけるＲＦ信号検出回路の詳細構成を説明するためのブロック図である。
【図５】図４における波形等価回路の作用を説明するためのタイミングチャートである。
【図６】図１におけるレーザコントロール回路の詳細構成を説明するためのブロック図である。
【図７】本発明に係る光ディスク装置におけるパルス形状調整処理を説明するためのフローチャートである。
【図８】図８（Ａ）及び図８（Ｂ）は、それぞれ図７におけるステップ４２５での処理を説明するためのタイミングチャートである。
【図９】図９（Ａ）及び図９（Ｂ）は、それぞれ図７におけるステップ４２９での処理を説明するためのタイミングチャートである。
【図１０】図１０（Ａ）及び図１０（Ｂ）は、それぞれ図７におけるステップ４２９での処理の第１の変形例を説明するためのタイミングチャートである。
【図１１】図１１（Ａ）及び図１１（Ｂ）は、それぞれ図７におけるステップ４２９での処理の第２の変形例を説明するためのタイミングチャートである。
【図１２】色素型ディスクにおける単パルス記録方式を説明するための図である。
【図１３】色素型ディスクにおけるマルチパルス記録方式を説明するための図である。
【図１４】相変化型ディスクにおけるマルチパルス記録方式を説明するための図である。
【符号の説明】
１５…光ディスク（情報記録媒体）、２０…光ディスク装置（情報記録再生装置）、４０…ＣＰＵ（ゲイン取得手段、調整手段、記録手段）。
【図１】
2004206812.tif 000003
【図２】
2004206812.tif 000004
【図３】
2004206812.tif 000005
【図４】
2004206812.tif 000006
【図５】
2004206812.tif 000007
【図６】
2004206812.tif 000008
【図７】
2004206812.tif 000009
【図８】
2004206812.tif 000010
【図９】
2004206812.tif 000011
【図１０】
2004206812.tif 000012
【図１１】
2004206812.tif 000013
【図１２】
2004206812.tif 000014
【図１３】
2004206812.tif 000015
【図１４】
2004206812.tif 000016